(57)【要約】【課題】２次巻線及び１次巻線による磁気的影響を外部へ及ばさない。【解決手段】別々に巻線された２次巻線１２ａ、１２ｂを有する。２次巻線１２ａは内側溝部４ａに装着され、もう一方の２次巻線１２ｂは内側溝部４ｂに装着されている。即ち、１次巻線１０は２つの２次巻線１２ａ、１２ｂを包含するように装着されている。前記１次巻線１０及び前記２次巻線１２ａ、１２ｂを内包し、前記２次巻線１２ａ、１２ｂ及び前記１次巻線１０による磁束が通過する閉磁路を形成する上コア２及びしたコア８を備える。【選択図】図１
2006203254.tif 000002
【特許請求の範囲】
【請求項１】
複数の２次巻線と、
前記複数の２次巻線を取り囲むように、巻線が巻回された１次巻線と、
前記１次巻線及び前記２次巻線を内包し、前記２次巻線及び前記１次巻線による磁束が通過する閉磁路を形成するコアと
を具備することを特徴とするリーケージトランス。
【請求項２】
各２次巻線は、コアにおける異なる磁路により前記１次巻線と磁気結合されることを特徴とする請求項１に記載のリーケージトランス。
【発明の詳細な説明】
【技術分野】
【０００１】
本発明は、放電灯点灯用のＤＣ／ＡＣインバータ回路等に使用するリーケージトランスに関するものである。
【背景技術】
【０００２】
近年、ノート型パソコン等に用いる液晶表示装置の画面サイズが大型化する傾向にあり、これに伴って、該液晶表示装置のバックライト用ランプの容量を大きくしたり、バックライト用ランプの灯数を増加して多灯式とすることが要求されている。
【０００３】
バックライト用ランプ及びこれを駆動する電源回路部は、通常、液晶表示装置の周囲の額縁部に収納されるが前記額縁部の収納スペースは、表示部全体の外形寸法を一定とした場合、液晶画面が大きくなるほど狭くなる。しかし、バックライト用ランプの灯数に対応してトランスの数を増加する多灯式の場合は、トランスの設置数の増加に伴って電源回路部の外形寸法が大きくなるため、前記額縁部の大きさを大きくしなければならず、更に、前記収納スペース内での電源回路部とバックライト用ランプとの配線が複雑となる。
【発明の開示】
【発明が解決しようとする課題】
【０００４】
本発明は、このような状況に鑑みて為されたもので、１入力多出力とし、外形寸法を小さく、殊に薄型狭幅として狭い収納スペースに取り付けることができるようにし、また、磁気的に影響が外部へ及ぶことのないようにした閉磁路型の多灯用リーケージトランスを提供するものである。
【課題を解決するための手段】
【０００５】
本発明に係るリーケージトランスは、複数の２次巻線と、前記複数の２次巻線を取り囲むように、巻線が巻回された１次巻線と、前記１次巻線及び前記２次巻線を内包し、前記２次巻線及び前記１次巻線による磁束が通過する閉磁路を形成するコアとを具備することを特徴とする。
【０００６】
本発明に係るリーケージトランスでは、各２次巻線は、コアにおける異なる磁路により前記１次巻線と磁気結合されることを特徴とする。
【発明の効果】
【０００７】
本発明に係るリーケージトランスは、コアにより１次巻線及び２次巻線を内包し、このコアにて２次巻線及び１次巻線による磁束が通過する閉磁路を形成しているので、コアに内包された２次巻線及び１次巻線による磁気的に影響が外部へ及ぶことがない効果を奏する。
【発明を実施するための最良の形態】
【０００８】
以下、本発明の一例を図１乃至図９を用いて説明する。図１は本発明に係わる多灯用リーケージトランスの一例を示す上面図、図２は下面図、図３は図１のＡ−Ａ’線における断面図、図４は図１のＢ−Ｂ’線における断面図、図５は正面図、図６は側面図、図７は内部の配線状態を示す図、図８は上コアの説明図で、（ａ）は上面図、（ｂ）は下面図、（ｃ）は一部断面側面図を示す。図９は下コアの説明図で、（ａ）は上面図、（ｂ）は下面図、（ｃ）は側面図を示す。なお、各部で同一の部分は同一の符号を付してある。
【０００９】
１は多灯用リーケージトランス全体を示す。２は上コアで、その一方の面の中央部付近には２つの中脚部３ａ、３ｂが形成されている。４ａ、４ｂは内側溝部で、それぞれ中脚部３ａ、３ｂと同心状に形成されている。５は外側溝部で、前記各内側溝部を同時に取り囲むように形成した隔壁部６と外周壁部７との間に形成されている。８は上コア２と閉磁路を形成するように配置した下コアで、該下コア８は、端子１１１−１１７を植設した端子台９ａと端子１２１−１２４を植設した端子台９ｂとによって挟持固定されている。１０は予め巻線された１次巻線で、上コア２の外側溝部５に装着され、その引出し端末は端子１１１、１１２、１１３・・・の何れかの適当個所に接続されている。１２ａ、１２ｂは別々に巻線された２次巻線で、１２ａは内側溝部４ａに装着されてその引出し端末は端子１２１、１２２に接続され、もう一方の２次巻線１２ｂは内側溝部４ｂに装着されてその引出し端末は端子１２３と１２４とに接続されている。即ち、１次巻線１０は２つの２次巻線１２ａ、１２ｂを包含するように装着されている。ｇ１は２次巻線１２ａ側の隔壁部６及び中脚部３ａと下コア８との間に形成された磁気ギャップ、ｇ２は２次巻線１２ｂ側の隔壁部６及び中脚部３ｂと下コア８との間に形成された磁気ギャップである。なお、上コア２及び下コア８は絶縁性を備えた磁性体、例えば、ニッケル系のフェライトコアで形成してある。
【００１０】
上記構成で、１次巻線１０と２次巻線１２ａは、前記磁気ギャップｇ１と中脚部３ａを介して結合し、同様に１次巻線１０と２次巻線１２ｂは、磁気ギャップｇ２及び中脚部３ｂを介して結合する。また、２つの２次巻線を１次巻線の内側で、かつ、該上コア２の中央部に配置したので１次巻線１０で発生した磁束は前記２つの２次巻線とほぼ均等に鎖交して前記２つの２次巻線を同時に励磁する。そして、２次巻線１２ａと２次巻線１２ｂの間には隔壁部６が介在しているため、互いの磁気的干渉は予防される。なお、本実施例においては、前記２つの磁気ギャップｇ１及びｇ２の幅を同じとし、また、２次巻線１２ａと１２ｂの巻線数を同じにして２つの出力電圧が等しくなるようにしてあるが前記磁気ギャップｇ１、ｇ２の幅を異ならせて結合度を調整したり、２次巻線１２ａ、１２ｂの巻線数を違えることによって別々の出力電圧を得ることもできる。
【００１１】
図１０は本発明の多灯用リーケージトランスに用いるコアの別の例を示す構造図で、隔壁部６を２つの２次巻線が隣接する空間の中間部のみに形成したもので、前記実施例のものより構造が簡略化されているが隣接する２次巻線間の磁気的干渉は充分に予防することができる。
【００１２】
図１１は本発明に係わる多灯用リーケージトランス１を用いたバラストレス型放電灯点灯回路の１例を示す電気結線図で、一方の２次巻線１２ａの両端は接地線を介して放電灯１４ａの両端に接続され、また、他方の２次巻線１２ｂも同様に接地線を介してもう１つの放電灯１４ｂの両端に接続されている。而して、１つの入力に対して２つの放電灯１４ａ、１４ｂを同時に駆動することができる。
【００１３】
以上に説明したように、１つの入力に対して複数の出力を得ることができ、トランス外部への磁気漏れを防止するとともに、外形寸法を小さく、薄型にすることができる。また、１次巻線と２次巻線を収容するコアの隣接する２次巻線の間に隔壁部を形成したので互いの磁気的な干渉を防止することができ、それぞれの２次巻線と１次巻線との結合度を独立して調整することができる。
【図面の簡単な説明】
【００１４】
【図１】本発明に係わる多灯用リーケージトランスの一例を示す上面図。
【図２】本発明に係わる多灯用リーケージトランスの一例を示す下面図。
【図３】図１に示した本発明に係わる多灯用リーケージトランスの一例のＡ−Ａ’線における断面図。
【図４】図１に示した本発明に係わる多灯用リーケージトランスの一例のＢ−Ｂ’線における断面図。
【図５】本発明に係わる多灯用リーケージトランスの一例を示す正面図。
【図６】本発明に係わる多灯用リーケージトランスの一例を示す側面図。
【図７】本発明に係わる多灯用リーケージトランスの一例における内部の配線状態を示す図。
【図８】本発明に係わる多灯用リーケージトランスの一例における上コアの説明図で、（ａ）は上面図、（ｂ）は下面図、（ｃ）は一部断面側面図。
【図９】本発明に係わる多灯用リーケージトランスにおける下コアの説明図で、（ａ）は上面図、（ｂ）は下面図、（ｃ）は側面図。
【図１０】本発明の多灯用リーケージトランスに用いるコアの別の例を示す構造図で、（ａ）は上面図、（ｂ）は断面側面図。
【図１１】本発明に係わる多灯用リーケージトランスを用いたバラストレス型放電灯点灯回路の１例を示す電気結線図。
【符号の説明】
【００１５】
１・・・多灯用リーケージトランス 
２・・・上コア 
３ａ，３ｂ・・・中脚部 
４ａ，４ｂ・・・内側溝部 
５・・・外側溝部 
６・・・隔壁部 
７・・・外周壁部 
８・・・下コア 
９ａ，９ｂ・・・端子台 
１０・・・１次巻線 
１１１−１１７，１２１−１２４・・・端子 
１２ａ，１２ｂ・・・２次巻線 
ｇ１，ｇ２・・・磁気ギャップ 
１３ａ，１３ｂ・・・放電灯
【図１】
2006203254.tif 000003
【図２】
2006203254.tif 000004
【図３】
2006203254.tif 000005
【図４】
2006203254.tif 000006
【図５】
2006203254.tif 000007
【図６】
2006203254.tif 000008
【図７】
2006203254.tif 000009
【図８】
2006203254.tif 000010
【図９】
2006203254.tif 000011
【図１０】
2006203254.tif 000012
【図１１】
2006203254.tif 000013